(57)【要約】【課題】ハンドルの着脱作業を行うことなく他の配線装置を使用できるとともに、他の配線装置の使用中であってもスイッチ装置の操作を容易に行うことができ、且つ、美観を向上できる配線器具を提供することにある。【解決手段】配線器具は、取付枠１と、取付枠１の取付窓１２から前面を露出させるとともに取付窓１２の一部からなる第１空間部１２ａを占有した形で取付枠１に取り付けられたスイッチ本体３およびハンドル４を備えるスイッチ装置２とを具備し、ハンドル４は、取付窓１２の他部からなる第２空間部１２ｂを露出させる形でスイッチ本体３の前面側に取り付けられたハンドル本体４０と、ハンドル本体４０および第２空間部１２ｂを覆いハンドル本体４０と共動する閉状態と、ハンドル本体４０および第２空間部１２ｂの両方を露出させる開状態とを有するようにハンドル本体４０の前面側に開閉自在に取り付けられたハンドルカバー４１とを備える。【選択図】図１
2008186639.tif 000002
【特許請求の範囲】
【請求項１】
取付枠と、取付枠の取付窓から前面を露出させるとともに取付窓の一部を占有した形で取付枠に取り付けられたスイッチ本体、およびスイッチ本体の前面側に取り付けられスイッチ本体の操作に用いられるハンドルを備えるスイッチ装置とを具備し、
ハンドルは、取付窓の他部を露出させる形でスイッチ本体の前面側に取り付けられたハンドル本体と、取付窓の全体部を覆う形に形成され、ハンドル本体および取付窓の他部を覆いハンドル本体と共動する閉状態とハンドル本体および取付窓の前記他部の両方を露出させる開状態とを有するようにハンドル本体の前面側に開閉自在に取り付けられたハンドルカバーとを備えていることを特徴とする配線器具。
【請求項２】
取付枠は、互いに並行する一対の取付片と一対の取付片の長さ方向における一端部同士および他端部同士をそれぞれ連続一体に連結する一対の連結片とを有し、取付片および連結片で囲まれた空間部により取付窓が構成され、各取付片の長さ方向中央部には造営材への取り付けに用いられるねじ挿通孔が設けられてなり、
取付片の前面側には、ハンドルの操作時にハンドル本体との接触を防止する接触防止用凹部が形成され、接触防止用凹部は、取付片の長さ方向中央部に近付くにつれて深さが浅くなるように形成されていることを特徴とする請求項１記載の配線器具。
【請求項３】
ハンドルが内側に配置される窓孔を有して取付枠の前面側に取り付けられたプレート枠と、取付枠の取付窓から前面を露出させるとともに取付窓の前記他部を占有した形で取付枠に取り付けられた配線装置と、スイッチ本体および配線装置の少なくとも一方とプレート枠における窓孔の内周面との隙間の少なくとも一部を隠蔽する隠蔽部とを備えていることを特徴とする請求項１または２記載の配線器具。
【請求項４】
ハンドルをスイッチ装置に取り付ける方法を表示する表示部を備えていることを特徴とする請求項１〜３のうちいずれか１項記載の配線器具。
【請求項５】
ハンドルは、マグネット部およびマグネット部に吸着される磁性材料部からなり、ハンドルカバーを閉じた状態に保持する保持手段を備え、マグネット部および磁性材料部の一方は、前後方向でスイッチ本体と重ならない形でハンドル本体に設けられ、他方は、ハンドル本体に設けられた一方に対応する形でハンドルカバーに設けられていることを特徴とする請求項１〜４のうちいずれか１項記載の配線器具。
【請求項６】
ハンドルが内側に配置される窓孔を有して取付枠の前面側に取り付けられたプレート枠を備え、窓孔の開口サイズは、ハンドルを窓孔内に配置した際に、ハンドルがスイッチ本体に対する取り付け位置に位置するような大きさに形成されていることを特徴とする請求項１〜５のうちいずれか１項記載の配線器具。
【請求項７】
ハンドルが内側に配置される窓孔を有して取付枠の前面側に取り付けられたプレート枠を備え、ハンドル本体は、ハンドルカバーを限界以上に開いた際に、スイッチ本体から外れるようにスイッチ本体に取り付けられていることを特徴とする請求項１〜６のうちいずれか１項記載の配線器具。
【発明の詳細な説明】
【技術分野】
【０００１】
本発明は、ハンドルにより操作されるスイッチ装置を具備する配線器具に関する。
【背景技術】
【０００２】
従来から、取付枠と、取付枠の取付窓から前面を露出させた状態で取付枠に取り付けられるスイッチ本体、及び取付窓を閉塞するようにしてスイッチ本体の前面に着脱自在に取り付けられるスイッチ操作用のハンドルを備えるスイッチ装置と、取付窓から前面を露出させた状態で取付枠に取り付けられる配線装置（例えば、コンセント装置）とを具備し、住宅の壁などの造営材に埋め込み設置される配線器具が提案されている。
【０００３】
この種の配線器具は、通常時はスイッチ装置のハンドルでコンセント装置を覆うようになっているので、スイッチ操作時に使用者の指がコンセント装置の充電部に触れて感電してしまうことを防止できる。また、コンセント装置を使用する際には、ハンドルをスイッチ本体から取り外すことで、コンセント装置を使用することができるようになっている。
【０００４】
しかしながら、コンセント装置を使用する度にハンドル自体の着脱作業を行わなくてはならず、この作業が非常に煩わしく手間であった。また、ハンドルを取り外した際には、スイッチ装置の操作性が悪化してスイッチ操作が行い難くなるため、非常に不便であるという問題があった。
【０００５】
そこで、コンセント装置の前面側を覆うハンドルの一部に、コンセント装置の前面側を露出させる開口部を設けるとともに、当該開口部を開閉する扉部を設けることが提案されている（例えば、特許文献１参照）。
【特許文献１】特開２００７−５２５３号公報（段落番号〔００１８〕、および図１参照）
【発明の開示】
【発明が解決しようとする課題】
【０００６】
特許文献１に示されるような配線器具では、扉部を開くことによってコンセント装置の前面側を開口部から露出させることができるから、ハンドルの着脱作業を行うことなくコンセント装置を使用することができ、また、スイッチ装置の操作性が悪化することも防止できていた。
【０００７】
しかしながら、特許文献１に示されるような配線器具では、ハンドルの一部に開口部を開閉する扉部が設けられているために、ハンドルの前面側からは、ハンドルにおける扉部とその他の部位との境界部分が見えるから、ハンドル全体として一体感がなく、美観を損なう（見栄えが悪い）という問題があった。
【０００８】
本発明は上述の点に鑑みて為されたもので、その目的は、ハンドルの着脱作業を行うことなく他の配線装置を使用できるとともに、他の配線装置の使用中であってもスイッチ装置の操作を容易に行うことができ、且つ、美観を向上できる配線器具を提供することにある。
【課題を解決するための手段】
【０００９】
上述の課題を解決するために、請求項１の発明では、取付枠と、取付枠の取付窓から前面を露出させるとともに取付窓の一部を占有した形で取付枠に取り付けられたスイッチ本体、およびスイッチ本体の前面側に取り付けられスイッチ本体の操作に用いられるハンドルを備えるスイッチ装置とを具備し、ハンドルは、取付窓の他部を露出させる形でスイッチ本体の前面側に取り付けられたハンドル本体と、取付窓の全体部を覆う形に形成され、ハンドル本体および取付窓の他部を覆いハンドル本体と共動する閉状態とハンドル本体および取付窓の前記他部の両方を露出させる開状態とを有するようにハンドル本体の前面側に開閉自在に取り付けられたハンドルカバーとを備えていることを特徴とする。
【００１０】
請求項１の発明によれば、ハンドルカバーを開いた開状態では、取付窓の他部が露出するから、取付窓の他部を利用して取付枠に取り付けた配線装置を、ハンドルカバーを開くだけの簡単な作業で使用することが可能となり、しかも、ハンドルカバーが取付窓の全体部を覆う形に形成されているから、従来のようにハンドルの一部が開閉して配線装置が露出する場合に比べれば、美観を向上できる。加えて、ハンドルカバーを閉じた閉状態では、ハンドル本体とハンドルカバーとが共動するから、スイッチ装置の操作を容易に行うことができる。また、この状態では、ハンドルカバーによって配線装置が露出しないように覆われるから、配線装置に埃が溜まったりすることを防止できる。
【００１１】
請求項２の発明では、請求項１の発明において、取付枠は、互いに並行する一対の取付片と一対の取付片の長さ方向における一端部同士および他端部同士をそれぞれ連続一体に連結する一対の連結片とを有し、取付片および連結片で囲まれた空間部により取付窓が構成され、各取付片の長さ方向中央部には造営材への取り付けに用いられるねじ挿通孔が設けられてなり、取付片の前面側には、ハンドルの操作時にハンドル本体との接触を防止する接触防止用凹部が形成され、接触防止用凹部は、取付片の長さ方向中央部に近付くにつれて深さが浅くなるように形成されていることを特徴とする。
【００１２】
請求項２の発明によれば、取付片における長さ方向中央部の強度が低下することを抑制できるから、ねじ挿通孔に挿通させたねじを締め付けた際に、ねじの締め付けによって取付枠が変形してしまうことを防止できる。
【００１３】
請求項３の発明では、請求項１または２の発明において、ハンドルが内側に配置される窓孔を有して取付枠の前面側に取り付けられたプレート枠と、取付枠の取付窓から前面を露出させるとともに取付窓の前記他部を占有した形で取付枠に取り付けられた配線装置と、スイッチ本体および配線装置の少なくとも一方とプレート枠における窓孔の内周面との隙間の少なくとも一部を隠蔽する隠蔽部とを備えていることを特徴とする。
【００１４】
請求項３の発明によれば、スイッチ本体および配線装置の少なくとも一方とプレート枠における窓孔の内周面との隙間に、指や物などが挟まったりしてしまうことを抑制できるから、怪我や、配線器具の破損などのトラブルの発生を抑制できる。
【００１５】
請求項４の発明では、請求項１〜３のうちいずれか１項の発明において、ハンドルをスイッチ装置に取り付ける方法を表示する表示部を備えていることを特徴とする。
【００１６】
請求項４の発明によれば、ハンドルがスイッチ本体から外れてしまった際に、表示部を見れば、ハンドルをスイッチ本体に取り付けることが可能となるから、わざわざ専門家などに依頼したり、付属の取扱説明書などを探してハンドルのスイッチ本体への取り付け方法を確認したりする手間を省くことができる。
【００１７】
請求項５の発明では、請求項１〜４のうちいずれか１項の発明において、ハンドルは、マグネット部およびマグネット部に吸着される磁性材料部からなり、ハンドルカバーを閉じた状態に保持する保持手段を備え、マグネット部および磁性材料部の一方は、前後方向でスイッチ本体と重ならない形でハンドル本体に設けられ、他方は、ハンドル本体に設けられた一方に対応する形でハンドルカバーに設けられていることを特徴とする。
【００１８】
請求項５の発明によれば、スイッチ装置の操作性の悪化を防止しながらも、ハンドルカバーの開閉操作を容易に行えるようになる。
【００１９】
請求項６の発明では、請求項１〜５のうちいずれか１項の発明において、ハンドルが内側に配置される窓孔を有して取付枠の前面側に取り付けられたプレート枠を備え、窓孔の開口サイズは、ハンドルを窓孔内に配置した際に、ハンドルがスイッチ本体に対する取り付け位置に位置するような大きさに形成されていることを特徴とする。
【００２０】
請求項６の発明によれば、プレート枠における窓孔の内周面を、ハンドルをスイッチ本体に対する取り付け位置に案内するガイドとして利用できる。
【００２１】
請求項７の発明では、請求項１〜６のうちいずれか１項の発明において、ハンドルが内側に配置される窓孔を有して取付枠の前面側に取り付けられたプレート枠を備え、ハンドル本体は、ハンドルカバーを限界以上に開いた際に、スイッチ本体から外れるようにスイッチ本体に取り付けられていることを特徴とする。
【００２２】
請求項７の発明によれば、ハンドルカバーを限界以上に開いた際でも、ハンドル本体やスイッチ本体などが破損してしまうことを防止できる。
【発明の効果】
【００２３】
本発明は、ハンドルカバーを開くだけの簡単な作業で配線装置の使用が可能となり、しかも、従来のようにハンドルの一部が開閉して配線装置が露出する場合に比べれば、美観を向上できるという効果を奏する。
【発明を実施するための最良の形態】
【００２４】
本発明の一実施形態の配線器具は、例えば、壁などの造営材に埋め込み設置される配線器具であって、図１（ｂ）に示すように、造営材への埋め込み設置に用いられる取付枠１と、スイッチ本体３およびハンドル４からなるスイッチ装置２（図１（ａ）参照）と、コンセント装置５と、プレート枠６と、化粧カバー７と、表示片８とを備えている。
【００２５】
なお、取付枠１を用いて配線器具の埋め込み設置を行うにあたっては、一般的には埋め込みボックス（図示せず）が用いられる。ここで、埋め込みボックスは、造営材に開孔された埋込孔（図示せず）内に設置されるものであって、前面が開口した箱状に形成され、前端部には、取付枠１を取り付けるためのねじ（ボックスねじ）９（図２（ａ）参照）に対応するねじ孔（図示せず）が設けられている。
【００２６】
取付枠１は、例えば、絶縁性を有する樹脂材料からなる合成樹脂成形品であって、図２（ａ）に示すように、互いに並行する一対の取付片１０，１０と一対の取付片１０，１０の長さ方向（図２（ａ）における左右方向）における一端部（図２（ａ）における右端部）同士および他端部（図２（ａ）における左端部）同士をそれぞれ連続一体に連結する一対の連結片１１，１１とを有し、取付片１０，１０および連結片１１，１１で囲まれた空間部により取付窓１２が構成されている。なお、以下の説明では、一対の取付片１０を区別するために、必要に応じて、一方の取付片（図２（ａ）における上側の取付片）１０を符号１０Ａで示し、他方の取付片（図２（ａ）における下側の取付片）１０を符号１０Ｂで示す。
【００２７】
各取付片１０の長さ方向中央部には、ボックスねじ９用のねじ挿通孔１０ａが前後方向（厚み方向）に貫設され、各取付片１０のねじ挿通孔１０ａにおける取付窓１２側とは反対側には、プレート枠６の取り付けに用いられるねじ孔１０ｂが前後方向に貫設されている。
【００２８】
一方の取付片１０Ａは、図２（ａ）に示すように、他方の取付片１０Ｂに比べて、幅方向（図２（ａ）における上下方向）の長さが長く（すなわち幅広に）形成されており、取付片１０Ａの前面側における長さ方向の両側それぞれには、図２（ｂ）および図４（ａ）に示すように、ハンドル４の操作時に後述するハンドル本体４０と接触してハンドル４の操作を妨げることがないようにハンドル本体４０との接触を防止する接触防止用凹部１０ｃが形成されている。接触防止用凹部１０ｃを取付片１０Ａに設けた際には、接触防止用凹部１０ｃの深さだけ取付片１０Ａの厚みが薄くなるために、取付片１０Ａにおける長さ方向中央部の強度が低下し、ねじ挿通孔１０ａに挿通させたボックスねじ９を締め付けた際に、ボックスねじ９の締め付けによって取付枠１が変形してしまうおそれがある。しかしながら、本実施形態では、接触防止用凹部１０ｃは、取付片１０Ａの長さ方向中央部に近付くにつれて深さが浅くなるように形成されているので、取付片１０Ａにおける長さ方向中央部の強度が低下することを抑制できるから、ねじ挿通孔１０ａに挿通させたボックスねじ９を締め付けた際に、ボックスねじ９の締め付けによって取付枠１が変形してしまうことを防止できる。
【００２９】
また、取付片１０Ａの長さ方向における他端部には、図２（ａ）および図４（ａ）に示すように、ハンドル本体４０の脱落防止に用いられる係止孔１０ｄが前後方向に貫設されている。ところで、本実施形態では美観を考慮して、接触防止用凹部１０ｃを取付片１０Ａの長さ方向の両側に設けているが、必ずしも取付片１０Ａの長さ方向の両側に設ける必要はなく、図４（ｂ）に示すように、係止孔１０ｄが設けられている側とは反対側となる取付片１０Ａの長さ方向における一端側、すなわちハンドル４が押し操作される側に設けておけばよい。
【００３０】
他方の取付片１０Ｂの長さ方向の両端側それぞれには、化粧カバー７の取り付けに用いられる取付孔（以下、「第１取付孔」と称する）１０ｅが前後方向に貫設されている。
【００３１】
ところで、本実施形態における取付枠１には、図２（ａ）に示すように、連結片１１，１１間を一体に連結する長尺状の仕切り片１３が設けられている。つまり、本実施形態の取付枠１の取付窓１２は、仕切り片１３によって、取付片１０Ａ、一対の連結片１１、および仕切り片１３で囲まれた取付窓１２の一部からなる第１空間部１２ａと、取付片１０Ｂ、一対の連結片１１、および仕切り片１３で囲まれた取付窓１２の他部からなる第２空間部１２ｂとに二分されている。
【００３２】
ここで、第１空間部１２ａは、スイッチ装置２のスイッチ本体３の取り付けに用いられるものであり、また、第２空間部１２ｂは、スイッチ装置２の他の配線装置（本実施形態では、コンセント装置５）の取り付けに用いられるものである。これら第１空間部１２ａおよび第２空間部１２ｂの大きさは、例えば、ＪＩＳなどの所定の規格に基づいて形成された従来の取付枠（本実施形態の取付枠１とは構成が異なる図示しない取付枠）の取付窓（図示せず）から前面を露出させた形で、最大３個まで連設して前記従来の取付枠に取り付けることができるように寸法設定された単位寸法（所謂、１個モジュール寸法）に対応した大きさに形成されている。ただし、第１空間部１２ａおよび第２空間部１２ｂの大きさは、同一規格の１個モジュール寸法に対応する大きさとしてもよいし、互いに異なる規格の１個モジュール寸法に対応する大きさとしてもよい。また、１個モジュール寸法に限らず、２個モジュール寸法などに変形したり、その他の大きさに変形したりしてもよい。要は、使用するスイッチ装置２や、その他の配線装置の大きさにも基づいて適宜設定すればよい。
【００３３】
加えて、仕切り片１３の長さ方向（図２（ａ）における左右方向）の両端側それぞれには、化粧カバー７の取り付けに用いられる取付孔（以下、「第２取付孔」と称する）１３ａが前後方向に貫設されている。また、仕切り片１３の前面における第１空間部１２ａ側には、その長さ方向の両側それぞれに、図２（ａ）および図３に示すように、ハンドル４の操作時にハンドル本体４０と接触してハンドル４の操作を妨げることがないようにハンドル本体４０との接触を防止するための凹部１３ｂが形成されている。この凹部１３ｂは、接触防止用凹部１０ｃと同様に、仕切り片１３の長さ方向中央部に近付くにつれて深さが浅くなるように形成されている。
【００３４】
このような仕切り片１３の幅方向（図２（ａ）における上下方向）の大きさ（すなわち、取付枠１の長さ方向におけるスイッチ本体３とコンセント装置５との間隔）は、コンセント装置５にＡＣアダプタやプラグなどを接続した際に、ＡＣアダプタなどがスイッチ装置２と干渉することを避けることが可能な大きさとしている。したがって、ＡＣアダプタや、デジタルカメラ、ビデオカメラのバッテリーの充電器などの大型のプラグでも、スイッチ装置２が邪魔になることなくコンセント装置５に確実に接続できる。なお、仕切り片１３を設けたことによって、スイッチ本体３は、取付枠１の長さ方向（図２（ａ）における上下方向）の中央部ではなく、若干、取付片１０Ａによった位置に取り付けられることになる。
【００３５】
一対の連結片１１において、第１空間部１２ａに対応する部位には、スイッチ本体３の取り付けに用いられる一対の係合孔（以下、「第１係合孔」と称する）１１ａ（図１（ｂ）参照）が連結片１１の長さ方向（図２（ａ）における上下方向）に離間するように形成されている。また、一対の連結片１１において、第２空間部１２ｂに対応する部位には、コンセント装置５の取り付けに用いられる一対の係合孔（以下、「第２係合孔」と称する）１１ｂが連結片１１の長さ方向に離間するように形成されている。
【００３６】
プレート枠６は、図７（ａ）および図８に示すように、取付枠１の取付窓１２およびその周部を前方に露出させるとともに、内側にハンドル４が配置される矩形状の窓孔６ａを有する縦長の矩形枠状に形成されたものであって、取付枠１の前面側に取り付けられるプレート本体６０と、プレート本体６０の前面側の全面を覆う形でプレート本体６０に取り付けられるプレートカバー６１とで構成されている。また、プレート枠６の窓孔６ａは、少なくともプレート本体６０を取付枠１に取り付けた状態で造営材への取り付けを可能とするために、取付枠１の各取付片１０のねじ挿通孔１０ａを前方に臨ませる大きさに形成されている。
【００３７】
プレート本体６０には、取付枠１のねじ孔１０ｂとそれぞれ連通する連通孔（図示せず）が前後方向に貫設されており、この連通孔を挿通させたねじ（図示せず）をねじ孔１０ｂに螺着することで、プレート本体６０を取付枠１に取り付けることができるようになっている。また、プレート本体６０の前面側には、複数個所に孔部（図示せず）が設けられており、プレートカバー６１の後面側に突設した爪部（図示せず）を前記孔部に引っ掛けることで、プレートカバー６１をプレート本体６０に取り付けることができる。なお、プレート本体６０およびプレートカバー６１の両方は、絶縁性を有する樹脂材料からなる合成樹脂成形品である。このようなプレート枠６は従来周知のものを採用できるから、詳細な説明は省略する。
【００３８】
化粧カバー７は、例えば、絶縁性を有する樹脂材料からなる合成樹脂成形品であって、その外形寸法が、取付枠１における第２空間部１２ｂの周部の全周を覆うことができる大きさに設定されるとともに、プレート枠６の窓孔６ａ内に収まる大きさに設定されている。また、化粧カバー７の外形寸法は、取付枠１に取り付けた際に、前後方向において、第１空間部１２ａとは重ならないように設定されている。化粧カバー７の中央部には、第２空間部１２ｂと連通して、第２空間部１２ｂを利用して取付枠１に取り付けられた配線装置（本実施形態では、コンセント装置５）の前面を露出させる矩形状の開口窓７ａが形成されている。
【００３９】
また、化粧カバー７の後面側には、取付片１０Ｂの一対の第１取付孔１０ｅそれぞれに対応する第１取付爪（図示せず）と、仕切り片１３の一対の第２取付孔１３ａそれぞれに対応する第２取付爪７ｂ，７ｂとが一体に突設されており、第１取付爪を第１取付孔１０ｅに、第２取付爪７ｂを第２取付孔１３ａに、それぞれ嵌め込むことによって、図５（ａ）に示すように、化粧カバー７を取付枠１の前面側に取り付けることができるようになっている。さらに、化粧カバー７の前面側には、ハンドル４の操作時にハンドル本体４０と接触してハンドル４の操作を妨げることがないように、逃げ部７ｃが形成されており、これによって化粧カバー７の前面における長手方向一端側が他端側に比べて後方に位置している。
【００４０】
スイッチ装置２は、図１（ｂ）に示すように、取付枠１の取付窓１２から前面を露出させるとともに第１空間部１２ａを占有した形で取付枠１に取り付けられたスイッチ本体３と、スイッチ本体３の前面側に揺動自在に取り付けられスイッチ本体３の操作に用いられるハンドル４とを備え、ハンドル４の押し操作によってオンオフが切り替えられる所謂ピアノハンドル式のスイッチ装置である。
【００４１】
スイッチ本体３は、例えば、図２（ａ）に示すように、第１空間部１２ａに取り付け可能な外径寸法（例えば、前記の１個モジュール寸法）のものである。スイッチ本体３は、内部に、スイッチ機構（図示せず）を備えており、前面側の長手方向一端側（図２（ａ）における右端側）には、前記スイッチ機構を操作するための押釦ハンドル３ａが設けられている。ここで、前記スイッチ機構は、押釦ハンドル３ａが押し込まれる度にオンオフが切り換わるように構成されている。
【００４２】
また、スイッチ本体３の前面側の長手方向他端側（図２（ａ）における左端側）には、スイッチ本体３の短手方向（図２（ａ）における上下方向）を回転軸方向としてハンドル４を回動自在（揺動自在）に枢着するための一対の軸部３ｂが前方に突設されている。さらに、スイッチ本体３の前面側における一対の軸部３ｂ間の部位には、前記スイッチ機構のオンオフ状態をＬＥＤなどの光源（図示せず）の点灯状態によって表示するための発光表示部３ｃが設けられている。加えて、スイッチ本体３の長手方向両側面それぞれには、取付枠１の一対の第１係合孔１１ａそれぞれと係合する一対の係合爪（以下、「第１係合爪」）３ｄが突設されており、この第１係合爪３ｄを取付枠１の第１係合孔１１ａに係合させることでスイッチ本体３を取付枠１に取り付けることができるようになっている。また、スイッチ本体３の前面側の長手方向一端側には、ハンドル４の揺動範囲を規制するための一対の規制用孔部３ｅが短手方向に離間して設けられている。一方、スイッチ本体３の後面側には、商用電源等の交流電源や、負荷などを前記スイッチ機構に接続するための速結端子などの端子（図示せず）が設けられている。なお、このようなスイッチ本体３は、従来周知のものを採用できるから詳細な説明は省略する。
【００４３】
ハンドル４は、図６（ａ），（ｂ）に示すように、第２空間部１２ｂを露出させる形でスイッチ本体３の前面側に取り付けられた前述のハンドル本体４０と、取付窓１２の全体部を覆う形に形成され、ハンドル本体４０および第２空間部１２ｂを覆いハンドル本体４０と共動する閉状態とハンドル本体４０および第２空間部１２ｂの両方を露出させる開状態とを有するようにハンドル本体４０の前面側に開閉自在に取り付けられたハンドルカバー４１とを備えている。なお、ハンドル本体４０およびハンドルカバー４１の両方は、絶縁性を有する樹脂材料からなる合成樹脂成形品である。
【００４４】
ハンドル本体４０は、図１（ｂ）に示すように、その外形寸法が、取付片１０Ａの前面側と、第１空間部１２ａより露出するスイッチ本体３の前面側とを覆うことができる大きさに設定されるとともに、プレート枠６の窓孔６ａ内に配置できる大きさに設定されている。
【００４５】
ハンドル本体４０の後面側においてスイッチ本体３の軸部３ｂ，３ｂに対応する部位（図９における左端側の部位）には、板ばね４２とともにスイッチ本体３の軸部３ｂ，３ｂを軸支する軸受部を構成する軸受用突片４０ａが形成されている。ここで、前記軸受部は、図９に示すように、板ばね４２が軸受用突片４０ａよりも外側（図９における左端側）に位置する形に構成されている。ハンドル本体４０の後面側においてスイッチ本体３の一対の規制用孔部３ｅ，３ｅそれぞれに対応する部位（図９における右端側の部位）には、一対の規制片４０ｂ，４０ｂが形成されている。
【００４６】
また、ハンドル本体４０の後面側においてスイッチ本体３の押釦ハンドル３ａと対向する部位には、押釦ハンドル３ａの長手方向中央部に当接する当接片４０ｃが突設されている。さらに、ハンドル本体４０の後面側において取付枠１の係止孔１０ｄに対応する部位には、係止片４０ｄが設けられており、係止片４０ｄを係止孔１０ｄに差し入れて係止片４０ｄを係止孔１０ｄの縁部に係止させることによって、ハンドル本体４０の脱落が抑制される。加えて、ハンドル本体４０においてスイッチ本体３と前後方向で重ならない部位には、ハンドル本体４０に板状のマグネット部４３を取り付けるための収納凹所４０ｅが設けられている。ここで、マグネット部４３の固定は、収納凹所４０ｅ近傍に設けた突起部４０ｆを溶融させることなどによって行う。
【００４７】
一方、ハンドル本体４０の前面側における短手方向一端側には、長方形状のリブ４０ｇが一体に突設されている。リブ４０ｇの長手方向両側面それぞれには、ハンドルカバー４１をハンドル本体４０に開閉自在（回動自在）に取り付けるために用いられる軸受孔４０ｈが形成されている。
【００４８】
また、ハンドル本体４０においてスイッチ本体３の発光表示部３ｃと対応する部位には、ハンドル本体４０を前後方向に貫通する透孔４０ｉが形成されており、この透孔４０ｉに透孔４０ｉ内の空間を満たすようにレンズ４５が配置される。このレンズ４５は、ハンドル本体４０の後面側に形成された嵌合突起４０ｊをレンズ４５に形成した嵌合孔部４５ａに嵌め込むことによってハンドル本体４０に取り付けられる。
【００４９】
ハンドルカバー４１は、図１（ａ），（ｂ）に示すように、プレート枠６の窓孔６ａの開口サイズよりやや小さいサイズに形成されており、ハンドルカバー４１を窓孔６ａ内に配置した際には、ハンドルカバー４１と窓孔６ａの内面との間には、ハンドル４の操作を妨げない程度の隙間が生じるようにしている。
【００５０】
ハンドルカバー４１にはハンドル本体４０のリブ４０ｇが内側に配置される切欠部４１ａが形成されており、この切欠部４１ａの長手方向両内側面それぞれには、リブ４０ｇの各軸受部４０ｈそれぞれに軸支される軸部４１ｂが一体に突設されている。
【００５１】
ハンドルカバー４１の後面側において、ハンドル本体４０の収納凹所４０ｅに対応する部位には、マグネット部４３に吸着される磁性材料（鉄など）からなる板状の磁性材料部４４を取り付けるための収納凹部４１ｃが形成されている。磁性材料部４４は、収納凹部４１ｃ内に収納された状態でハンドルカバー４１に取り付けられる。ここで、磁性材料部４４の固定は、収納凹部４１ｃ近傍に設けた突起部４１ｄを溶融させることなどによって行う。なお、ハンドル本体４０の前面側には、突起部４１ｄとの干渉を防止するために、円形状の逃げ凹部４０ｋが設けられている。
【００５２】
また、ハンドルカバー４１の後面側において、第２空間部１２ｂに対応する部位には、第２空間部１２ｂを利用して取付枠１に取り付けられたコンセント装置５との干渉を防止するための干渉防止用凹部４１ｅが形成されている。さらに、ハンドルカバー４１の短手方向一端側（図６（ａ）における右端側）には、プレート枠６の前面に当接することで、ハンドル４の過剰な押し込みを防止するための長尺状の突片４１ｆが設けられている。
【００５３】
ハンドルカバー４１は、ハンドル本体４０の軸受部４０ｈそれぞれに軸部４１ｂを軸支させることによって、ハンドルカバー４１の後面側がハンドル本体４０の前面側に当接することでハンドル本体４０および第２空間部１２ｂを覆いハンドル本体４０と共動する閉状態と、ハンドル本体４０および第２空間部１２ｂの両方を露出させる開状態とを有するようにハンドル本体４０の前面側に開閉自在に取り付けられる。そして、閉状態では、ハンドルカバー４１に設けられた磁性材料部４４が、ハンドル本体４０のマグネット部４３に吸着されるから、磁力によって、閉状態が保持される。つまり、マグネット部４３およびマグネット部４３に吸着される磁性材料部４４によって、ハンドルカバー４１を閉じた状態（閉状態）に保持する保持手段が構成されている。
【００５４】
このような保持手段によれば、スイッチ装置２の操作性の悪化を防止しながらも、ハンドルカバー４１の開閉操作を容易に行えるようになる。
【００５５】
なお、本実施形態では、マグネット部４３をハンドル本体４０に設け、磁性材料部４４をハンドルカバー４１に設けているが、逆であってもよい。要するに、マグネット部４３および磁性材料部４４の一方が、前後方向でスイッチ本体３と重ならない形でハンドル本体４０に設けられ、他方は、ハンドル本体４０に設けられた一方に対応する形でハンドルカバー４１に設けられていればよい。
【００５６】
コンセント装置５は、例えば、図２（ａ）に示すように、第２空間部１２ｂを利用して取付枠１に取り付け可能な外径寸法（例えば、前記の１個モジュール寸法）のものである。コンセント装置５は、ＪＩＳなどで規定されたプラグ（例えば、Ａ型プラグ）の各栓刃（図示せず）がそれぞれ挿入される一対の栓刃挿入口５ａ，５ａを有する機能面を前面に備えており、コンセント装置５内には、プラグの各栓刃に対応する刃受部（図示せず）が収納されている。一方、コンセント装置５の後面には、商用電源などの電源に電気的に接続される電源線を刃受部に接続するための速結端子などからなる端子部（図示せず）が設けられている。また、コンセント装置５の長手方向両側面それぞれには、取付枠１の一対の第２係合孔１１ｂそれぞれと係合する一対の係合爪（以下、「第２係合爪」）５ｂが突設されており、この第２係合爪５ｂを取付枠１の第２係合孔１１ｂに係合させることでコンセント装置５を取付枠１に取り付けることができるようになっている。なお、このようなコンセント装置５は、従来周知のものを採用できるから詳細な説明は省略する。
【００５７】
表示片８は、ハンドル４をスイッチ本体３に取り付ける方法を表示する表示部として用いられるものであって、例えば、図５（ａ）に示すように、取付枠１の取付片１０Ａの前面側に貼付されるシールからなる。この表示片８の前面側には、例えば、図５（ｂ）に示すように、ハンドル４をスイッチ本体３に取り付ける方法を示す説明文および図面が記載されている。したがって、ハンドル４がスイッチ本体３から外れてしまった際に、表示片８を見れば、ハンドル４をスイッチ本体３に取り付けることが可能となるから、わざわざ専門家などに依頼したり、付属の取扱説明書などを探してハンドル４のスイッチ本体３への取り付け方法を確認したりする手間を省くことができる。なお、このような説明文および図面は、図５（ｂ）以外では省略している。
【００５８】
なお、本実施形態では、表示片８により表示部を構成しているが、このような表示片８を設ける代わりに、取付枠１などに文字を印刷したり彫り込んだりすることで、表示部を構成するようにしてもよい。また、このような表示部は必ずしも取付枠に設ける必要はなく、通常の使用時においては露出せず、ハンドル４がスイッチ本体３から外れたときに露出するような位置に設けておけばよい。
【００５９】
ところで、本実施形態の配線器具では、取付枠１にプレート枠６を取り付けた際には、図８に示すように、スイッチ本体３とプレート枠６における窓孔６ａの内周面との隙間から取付片１０Ａのねじ挿通孔１０ａを挿通したボックスねじ９が露出している。また、コンセント装置５とプレート枠６における窓孔６ａの内周面との隙間から取付片１０Ｂのねじ挿通孔１０ａを挿通したボックスねじ９が露出するとともに、コンセント装置５と取付枠１との係合部分を構成する第２係合爪５ｂが露出している。
【００６０】
ここで、配線器具の使用中にボックスねじ９に触れると、感電してしまうおそれがあり、また、第２係合爪５ｂに触れると、コンセント装置５が取付枠１から外れてしまうおそれがある。さらに、スイッチ本体３やコンセント装置５とプレート枠６における窓孔６ａの内周面との隙間に物が挟まってしまうおそれもある。
【００６１】
そこで、本実施形態における配線器具では、第２係合爪５ｂを触れられないように隠すために、図７（ｂ）に示すように、化粧カバー７に、第２係合爪５ｂの前面側の全面を覆う隠蔽部（以下、「第１隠蔽部」と称する）７ｄを設けている。また、ボックスねじ９を触れられないように隠すために、ハンドル本体４０に、取付片１０Ａのねじ挿通孔１０ａを挿通したボックスねじ９の前面側の全面を覆う隠蔽部（以下、「第２隠蔽部」と称する）４０ｌを設けるとともに、化粧カバー７に、取付片１０Ｂのねじ挿通孔１０ａを挿通したボックスねじ９の前面側の全面を覆う隠蔽部（以下、「第３隠蔽部」と称する）７ｅを設けている。これに対応して、ハンドルカバー４１には、第２隠蔽部４０ｌ、第３隠蔽部７ｅそれぞれとの干渉を防止するための逃げ凹所４１ｇ，４１ｈを設けている。
【００６２】
このような隠蔽部７ｄ，７ｅ，４０ｌは、スイッチ本体３およびコンセント装置５の少なくとも一方とプレート枠６における窓孔６ａの内周面との隙間の少なくとも一部を隠蔽するようなものであればよい。隠蔽部７ｄ，７ｅ，４０ｌと同様な隠蔽部を適宜設けることによって、スイッチ本体３およびコンセント装置５の少なくとも一方とプレート枠６における窓孔の内周面との隙間に、指や物などが挟まったりしてしまうことを抑制できるから、怪我や、配線器具の破損などのトラブルの発生を抑制できる。
【００６３】
本実施形態の配線器具は、上述した取付枠１と、スイッチ装置２と、コンセント装置５と、プレート枠６と、化粧カバー７と、表示片８とを備えており、以下にその組立方法について説明する。
【００６４】
まず、取付枠１に、図２（ａ），（ｂ）および図３に示すように、スイッチ本体３と、コンセント装置５とを取り付ける。スイッチ本体３の取付枠１への取り付けは、スイッチ本体３の前面側を取付枠１の第１空間部１２ａ内に配置するとともに、スイッチ本体３の第１係合爪３ｄを取付枠１の第１係合孔１１ａに係合させることにより行われ、スイッチ本体３は、取付枠１の取付窓１２から前面を露出させるとともに第１空間部１２ａを占有した形で取付枠１に取り付けられる。また、コンセント装置５の取付枠１への取り付けは、コンセント装置５の前面側を取付枠１の第２空間部１２ｂ内に配置するとともに、コンセント装置５の第２係合爪５ｂを取付枠１の第２係合孔１１ｂに係合させることにより行われ、コンセント装置５は、取付枠１の取付窓１２から前面を露出させるとともに第２空間部１２ｂを占有した形で取付枠１に取り付けられる。
【００６５】
その後には、取付枠１の前面側に、図５（ａ）に示すように、化粧カバー７をその第１取付爪を第１取付孔１０ｅに、第２取付爪７ｂを第２取付孔１３ａに、それぞれ嵌め込むことによって取り付ける。また、表示片８を取付枠１の取付片１０Ａの前面側に貼付する。
【００６６】
また、取付枠１の前面側に、図５（ｂ）に示すように、プレート枠６を取り付ける。プレート枠６を取り付けるにあたっては、プレート本体６０の連通孔を挿通させたねじを取付枠１のねじ孔１０ｂに螺着してプレート本体６０を取付枠１の前面側に取り付けた後に、プレートカバー６１の後面側に突設した前記爪部をプレート本体６０の前記孔部に引っ掛けることで、プレートカバー６１をプレート本体６０に取り付ける。
【００６７】
最後に、ハンドル４をスイッチ本体３に取り付けることにより、図１（ａ）に示すような配線器具が得られる。ハンドル４をスイッチ本体３に取り付けるにあたっては、ハンドル４をプレート枠６内に配置するとともに、ハンドル本体４０の軸受部にスイッチ本体３の各軸部３ｂを軸支させるとともに、ハンドル本体４０の係止片４０ｄを取付枠１の係止孔１０ｄに差し入れてから、ハンドル本体４０の規制片４０ｂをスイッチ本体３の規制用孔部３ｅに差し入れる。ここで、プレート枠６の窓孔６の開口サイズは、ハンドルカバー４１の外形サイズよりやや大きい程度の大きさに形成されているため、ハンドル４を窓孔６ａ内に配置した際には、ハンドル４がスイッチ本体３に対する取り付け位置に位置することになる。つまり、プレート枠６における窓孔６ａの内周面を、ハンドル４をスイッチ本体３に対する取り付け位置に案内するガイドとして利用できる。
【００６８】
次に、本実施形態の配線器具の動作について説明する。配線器具は、コンセント装置５を使用しない場合には、図７（ａ）に示すように、ハンドルカバー４１を閉めてコンセント装置５を隠した閉状態とされる。この閉状態では、ハンドルカバー４１とハンドル本体４０が共動するため、ハンドルカバー４１の前面を押し操作することで、ハンドル本体４０の当接片４０ｃによってスイッチ本体３の押釦ハンドル３ａが押し込まれる。したがって、閉状態では、ハンドルカバー４１の前面を押し操作することによって、スイッチ装置２のオンオフを切り替えることができる。
【００６９】
コンセント装置５を使用したい場合は、ハンドル４のハンドルカバー４１を開いて開状態とすればよい。開状態では、図７（ｂ）に示すように、ハンドル本体４１の前面側および第２空間部１２ｂが窓孔６ａ内に露出するから、第２空間部１２ｂを利用して取付枠１に取り付けられたコンセント装置５が窓孔６ａ内に露出して、コンセント装置５の使用が可能となる。また、この開状態では、ハンドル本体４１の前面を押し操作することによって、スイッチ装置２のオンオフを切り替えることができるので、スイッチ本体３の押釦ハンドル３ａを直接的に押し操作しなくて済むから、スイッチ装置２の操作性が悪化することがない。
【００７０】
ところで、図９に示すように、ハンドルカバー４１を開いてハンドルカバー４１の前面側がプレート枠６の前面側に当接した状態からさらにハンドルカバー４１を開こうとした（すなわち、ハンドルカバー４１を限界以上に開こうとした）場合には、ハンドルカバー４１とプレート枠６との接触部分が支点、当該支点に対してハンドル本体４０とは反対側のハンドルカバー４１の部位が力点となって、ハンドル本体４０に、ハンドルカバー４１の軸部４１ｂを軸支する軸受部４０ｈ近傍が前方に引き出されるような力が作用する。このような場合、板ばね４２が軸受片４０ａよりも外側に位置しているから、軸部３ｄによって板ばね４２が外側に押圧されて撓み、軸受部からスイッチ本体３の軸部３ｂが外れることになる。
【００７１】
このように、ハンドル本体４０は、ハンドルカバー４１を限界以上に開いた際に、スイッチ本体３から外れるようにスイッチ本体３に取り付けられているから、ハンドルカバー４１を限界以上に開いてしまっても、ハンドル本体４０やスイッチ本体３などが破損してしまうことを防止できる。
【００７２】
一方、コンセント装置５を使用する必要がなくなった場合には、ハンドルカバー４１を閉めて閉状態とすればよい。ハンドルカバー４１を閉める際には、ハンドルカバー４１をハンドル本体４０にある程度近づけた段階で、ハンドルカバー４１の磁性材料部４４がハンドル本体４０のマグネット部４３に吸着され、その後は、自動的にハンドルカバー４１が閉状態まで閉じられる。
【００７３】
以上述べた本実施形態の配線器具によれば、ハンドルカバー４１を開いた開状態では、第２空間部１２ｂが露出するから、第２空間部１２ｂを利用して取付枠１に取り付けた配線装置であるコンセント装置５を、ハンドルカバー４１を開くだけの簡単な作業で使用することが可能となる。しかも、ハンドルカバー４１が取付窓１２の全体部を覆う形に形成されているから、従来のようにハンドルの一部が開閉して配線装置が露出する場合に比べれば、ハンドル４に一体感があり、美観を向上できる。加えて、ハンドルカバー４１を閉じた閉状態では、ハンドル本体４０とハンドルカバー４１とが共動するから、スイッチ装置２の操作を容易に行うことができる。また、この状態では、ハンドルカバー４１によってコンセント装置５が露出しないように覆われるから、スイッチ装置２を操作する際に誤ってコンセント装置５の充電部に触れて、感電してしまうことなどを防止できる。また、コンセント装置５の極間に埃が溜まったりすることを防止でき、トラッキングによる火災などが発生することを防止できる。
【００７４】
ところで、配線器具はスイッチ装置２とコンセント装置５とを備えるので、例えば配線器具を一般的なスイッチ装置２が設置される高さ位置に設置すれば、コンセント装置５にプラグを接続する際に腰をかがめたりする必要がなくなり、プラグの抜き差しを容易に行うことができる。そのため、常時プラグをコンセントに接続せずに使用時にのみプラグを接続するような機器や、プラグの着脱の多い機器、例えば掃除機や、シェーバー、デジタルカメラ、ビデオカメラなどのバッテリー充電器などを使用する際に非常に便利である。特に、既設のコンセントに前記の機器を接続しようとした場合には、既にコンセントが埋まってしまっている場合が多く、必要なときに使用できないことがあるが、本実施形態の配線器具を用いれば、必要に応じてコンセント装置５を使用できるため、このような問題も解決することができる。
【００７５】
なお、本実施形態では、ハンドルカバー４１は、ハンドル本体４０の長手方向を回転軸方向としてハンドル本体４０の短手方向他端部（図７（ｂ）における左端部）に回動自在に取り付けられているが、この例に限らず、ハンドル本体４０の短手方向一端部（図７（ｂ）における右端部）に回動自在に取り付けてもよいし、ハンドル本体４０の短手方向を回転軸方向とするようにしてもよい。また、ハンドルカバー４１は、スライドにより開閉するように構成されていてもよい。
【００７６】
また、本実施形態では、配線装置としてコンセント装置５を例示しているが、配線装置としては、タイマー装置や、モジュラジャック装置など、状況に応じて好適な装置を用いることが可能である。
【図面の簡単な説明】
【００７７】
【図１】本発明の一実施形態の配線器具を示し、（ａ）は斜視図、（ｂ）は分解斜視図である。
【図２】同上における取付枠にスイッチ本体およびコンセント装置を取り付けた状態を示し、（ａ）は前面図、（ｂ）は同図（ａ）のＡ−Ａ線矢視図である。
【図３】同上における取付枠にスイッチ本体およびコンセント装置を取り付けた状態の斜視図である。
【図４】（ａ）は同上における配線器具の概略断面図、（ｂ）は他例の配線器具の概略断面図である。
【図５】（ａ）は同上におけるハンドルおよびプレート枠を取り外した状態の前面図、（ｂ）はハンドルを取り外した状態の前面図である。
【図６】同上におけるハンドルを示し、（ａ）は前面図、（ｂ）は後面図である。
【図７】同上における配線器具を示し、（ａ）はハンドルカバーを閉じた状態の説明図、（ｂ）はハンドルカバーを開いた状態の説明図である。
【図８】同上における取付枠にスイッチ本体およびコンセント装置およびプレート枠を取り付けた状態の前面図である。
【図９】同上における配線器具の概略説明図である。
【符号の説明】
【００７８】
１    取付枠
２    スイッチ装置
３    スイッチ本体
４    ハンドル
５    コンセント装置（配線装置）
６    プレート枠
６ａ  窓孔
７ｄ  隠蔽部（第１隠蔽部）
７ｅ  隠蔽部（第３隠蔽部）
８    表示片（表示部）
１０，１０Ａ，１０Ｂ  取付片
１０ａ  ねじ挿通孔
１０ｃ  接触防止用凹部
１１    連結片
１２    取付窓
１２ａ  第１空間部（取付窓の一部）
１２ｂ  第２空間部（取付窓の他部）
４０    ハンドル本体
４０ｌ  隠蔽部（第２隠蔽部）
４１    ハンドルカバー
４３    マグネット部
４４    磁性材料部
【図１】
2008186639.tif 000003
【図２】
2008186639.tif 000004
【図３】
2008186639.tif 000005
【図４】
2008186639.tif 000006
【図５】
2008186639.tif 000007
【図６】
2008186639.tif 000008
【図７】
2008186639.tif 000009
【図８】
2008186639.tif 000010
【図９】
2008186639.tif 000011